(57)【特許請求の範囲】
【請求項１】
表示画面を有する表示装置と、
前記表示画面が露出された状態で前記表示装置を収容する第１面と、前記第１面とは反対側に位置し、バッテリ収納部を有する第２面と、を含む筐体と、
前記筐体の端部に設けられ、前記筐体を支持する支持部が挿入される挿入部と、
を具備し、
前記バッテリ収納部は、前記第２面の中央領域よりも前記挿入部側に寄って位置する電子機器。
【請求項２】
前記挿入部は、前記筐体の下端部に設けられ、前記バッテリ収納部は前記第２面の長手方向の中心に位置する請求項１記載の電子機器。
【請求項３】
前記バッテリ収納部は前記表示画面から少なくとも一部が外れている請求項１または請求項２記載の電子機器。
【請求項４】
前記筐体は上側が薄く、下側が厚い構造である請求項１から請求項３のいずれか一項記載の電子機器。
【発明の詳細な説明】
【技術分野】
【０００１】
本発明の実施形態は、テレビおよび電子機器に関する。
【背景技術】
【０００２】
従来、バッテリを有した電子機器が知られている。
【先行技術文献】
【特許文献】
【０００３】
【特許文献１】特開平８−２０３６１５号公報
【発明の概要】
【発明が解決しようとする課題】
【０００４】
近年の電子機器では、筐体の重心安定化・組み立て作業性等の向上が求められている。
【課題を解決するための手段】
【０００５】
１つの実施形態による電子機器は、表示画面を有する表示装置と、前記表示装置が収容され、表示画面が露出された第１開口部と、この第１開口部とは反対側に位置されて、両端から前記表示画面の中央領域に寄った位置に設けられた第２開口部と、を含む筐体と、前記第２開口部に設けられたバッテリ収納部と、を具備する。
【０００６】
１つの実施形態による電子機器は、前記支持部は、前記表示装置と前記バッテリとの間に位置され、前記第３面に着脱可能に挿入される挿入部を具備する。
【０００７】
１つの実施形態による電子機器は、表示画面を有する表示装置と、前記表示装置が収容され、表示画面が露出された第１開口部と、この第１開口部とは反対側に位置された第２開口部と、を含む筐体と、前記筐体を支持した支持部と、前記筐体の中央領域から前記支持部が接続された部分に寄った位置に設けられたバッテリ収納部と、を具備する。
【図面の簡単な説明】
【０００８】
【図１】本実施形態にかかる電子機器としての表示装置を前面から見た斜視図である。
【図２】本実施形態にかかる電子機器としての表示装置を前面から見た図である。
【図３】本実施形態にかかる電子機器としての表示装置を後面から見た斜視図である。
【図４】本実施形態にかかる電子機器としての表示装置を後面から見た図である。
【図５】本実施形態にかかる電子機器としての表示装置を側面から見た図である。
【図６】本実施形態にかかる電子機器のバッテリを外した状態で表示装置を後面から見た斜視図である。
【図７】本実施形態にかかる電子機器のバックカバーを後面から見た斜視図である。
【図８】本実施形態にかかる電子機器のバッテリを外した状態でバックカバーを後面から見た斜視図である。
【図９】本実施形態にかかる電子機器のバックカバーを側面から見た斜視図である。
【図１０】本実施形態にかかる電子機器のバッテリを外した状態でバックカバーを側面から見た斜視図である。
【図１１】本実施形態にかかる電子機器のバックカバーを筐体内側から見た図である。
【図１２】本実施形態にかかる電子機器に装着されたバッテリを見た図である。
【図１３】本実施形態にかかる電子機器に装着されたバッテリを見た図である。
【図１４】本実施形態にかかる電子機器としての表示装置を側面から見た断面図である。
【図１５】本実施形態にかかる電子機器の表示部を分離した状態を示した図である。
【図１６】本実施形態にかかる電子機器の接続部を前方から見た状態の外観を示した図である。
【図１７】本実施形態にかかる電子機器の接続部を側方から見た状態の外観を示した図である。
【図１８】本実施形態にかかる電子機器の接続部を上方から見た状態の外観を示した図である。
【図１９】本実施形態にかかる電子機器の接続部を下方から見た状態の外観を示した図である。
【図２０】本実施形態にかかる電子機器の接続部の構成を示した図である。
【図２１】第２の実施形態にかかる電子機器としての表示装置を（表示部と接続部とを分離した状態で）後面から見た図である。
【図２２】第２の実施形態にかかる電子機器としての表示装置を（表示部と接続部とを接続した状態で）後面から見た図である。
【図２３】第２の実施形態にかかる電子機器としての表示装置を（バッテリを装着した状態で）後面から見た図である。
【発明を実施するための形態】
【０００９】
以下、図面を参照して、本発明の一実施形態について詳細に説明する。なお、以下では、説明の便宜上、方向が規定されている。図１は、表示装置（テレビ、放送波受信装置、電子機器）１における表示部（ディスプレイ、表示パネル）２の表示画面からみた状態を示した斜視図である。図２は、本実施形態にかかる電子機器としての表示装置を前面から見た図である。図３は、本実施形態にかかる電子機器としての表示装置を後面から見た斜視図である。図４は、本実施形態にかかる電子機器としての表示装置を後面から見た図である。図５は、本実施形態にかかる電子機器としての表示装置を側面から見た図である。
【００１０】
ここでは、一例として、当該表示部２の前面視（正面視）で右方向（後面視（背面視）では左方向）をＸ方向、上方向をＹ方向、奥行き方向（前方向）をＺ方向とする。各図には、表示装置１に組み付けられた状態での方向を示す矢印が記載される。
【００１１】
図１及び図２に示すように、本実施形態にかかる表示装置１は、机上等に載置される台座部（基部、板部、支持部、支持部材）３と、ＬＣＤ（Liquid Crystal Display）等のディスプレイユニット４を内蔵した表示部２と、表示部２に接続されて台座部３に支持された接続部５（連結部、支持部、首部、支持部材）と、を備えている。
【００１２】
図１及び図２に示すように、台座部３は、平面視では矩形状（略長方形状）で上下方向に比較的薄い扁平な形状を有している。台座部３は、上面３ａと、下面３ｂと、接続部５に連続した部分３ｃと、表示画面側を向いて第１の意匠を有する第１面部３ｄと、表示画面側とは反対側を向いて第１の意匠とは異なる第２の意匠を有する第２面部３ｅと、を有する。尚、ここでいう第１及び第２の意匠とは、物体の形状、模様、色彩等の部材の美的外観のことを示す。
【００１３】
図１乃至図４に示すように、表示部２は、前面（表示面、第１面、正面）２ａと、その反対側に位置する後面（非表示面、第２面、背面）２ｂと、前面２ａと後面２ｂとに亘る周面（側面）２ｃとを有し、前後方向に薄く前面視では横長の長方形状の外観を呈する扁平な直方体状に構成されている。周面２ｃは、上面（側面、上壁）２ｄと、下面（側面、下壁、底壁）２ｅと、右面（側面、側壁）２ｆと、左面（側面、側壁）２ｇと、を含む大きく４分割された面部を有する。後面２ｂは、中央領域２ｂｃ、及び周辺領域２ｂｈを有する。中央領域２ｂｃは、表示画面の中心に対向する位置近傍の領域であり、周辺領域２ｂｈは、中央領域２ｂｃを囲むとともに周面２ｃに沿った（重なった）領域である。
【００１４】
筐体２１は、フロントマスク２１ａとバックカバー２１ｃと含む。ディスプレイユニット４の前面４ａ周囲の一部を覆う筐体２１の一部としてのフロントマスク２１ａには、矩形状の開口部２１ｂが設けられている。この開口部２１ｂからは、ディスプレイユニット４の前面４ａが露出している。本実施形態では、ディスプレイユニット４の前面４ａのうち、開口部２ｅから露出した部分が、表示画面４ｂである。図１乃至図４から明らかとなるように、表示画面４ｂは起立している（支持部の載置面に対して垂直・略垂直／直交・略直交している）。
【００１５】
図５に示すように、これらの面は、後面２ｂから前面２ａに向かって拡開する方向に延びる。即ち、後面２ｂは前面２ａよりも小さい面積を有するとともに、表示画面の前後の方向から平面視した状態で、前面２ａの外縁内に収まった位置に設けられる。上面２ｄと、下面２ｅと、右面２ｆと、左面２ｇとはいずれも前面２ａ（後面２ｂ）に対して傾斜したスロープの形状である。
【００１６】
図５に示すように、上面２ｄは、下面２ｅと比較して傾斜角度が緩やかである。即ち前面２ａと後面２ｂとに亘る距離が上面２ｄの方が下面２ｅと比較して長い。電子機器を見た場合、その外観では下面２ｅよりも上面２ｄの方が目立つ。上面２ｄの傾斜を緩やかにした形状を有することで、電子機器の外観をより薄く見せられる効果がある。また、子の形状を構成するため、本実施例における電子機器では、表示部２の背面に収容された基板などの電子部品を下端側に位置させている。
【００１７】
図５に示すように、上面２ｄ及び下面２ｅは、其々に筐体２１中央部が最も厚く、筐体２１縁部に近づくに連れて薄くなるような段差、スロープ部（斜面、傾き部）などが設けられる。このような形状を有することで、上面２ｄの傾斜と同様の効果、即ち電子機器の外観をより薄く見せられる効果がある。
【００１８】
表示部２の筐体２１内には、ディスプレイユニット４の他、ＣＰＵ（Central Processing unit）等の電子部品が実装された基板４０や、その他の電子部品等（図示せず）が内蔵されている。ディスプレイユニット４は、基板に実装された電子部品等で構成された制御回路に含まれる映像信号処理回路（いずれも図示せず）から映像信号を受け取り、表示画面４ｂに、静止画や動画等の映像を表示させる。表示装置１がテレビジョン装置として構成される場合、表示装置１の制御回路は、例えば、映像信号処理回路の他、いずれも図示しないチューナ部や、ＨＤＭＩ（High-Definition Multimedia Interface）信号処理部、ＡＶ（Audio Video）入力端子、リモコン信号受信部、制御部、セレクタ、オンスクリーンディスプレイインタフェース、記憶部（例えば、ＲＯＭ（Read Only Memory）、ＲＡＭ（Randon Access Memory）、ＨＤＤ（Hard Disk Drive）等）、音声信号処理回路等を有する。基板は、筐体２１内のディスプレイユニット４の後方（背面側）に収容される。また、表示装置１がコンピュータとして構成される場合、表示装置１の制御回路は、例えば、制御部（例えば、ＣＰＵ等）や、記憶部（例えば、ＲＯＭ（Read Only Memory）、ＲＡＭ（Random Access Memory）、ＨＤＤ（Hard Disk Drive）等）、ディスプレイドライバ、通信インタフェース等を有する。また、表示装置１は、音声出力用のアンプやスピーカ等（図示せず）も備えている。
【００１９】
図５に示すように、接続部５の表示部２側に向かって突出した突部６が設けられている。突部６は、筐体２１に挿入されて表示部２と接続部５とを連結する。表示部２の下面２ｅには、突部６と連結する連結部（連通部、補強部、金属部、金属プレート）７が設けられる。連結部７は、筐体２１よりも剛性の高い、例えば金属等の部材で設けられ、表示部２の重量を支えても筐体２１と比較して変形・破損が生じにくい。
【００２０】
図５に示すように、連結部７は、台座部３と平行（略平行）に延びたプレート形状を有した領域（プレート部、支持面、係合面、被係合面）７ａを有する。領域７ａは、接続部５の上面とも平行（略平行）に延びるとともに、この面と当接されている。領域７ａには、突部６が通される開口部（貫通孔部、孔部、穴部、係合部、被係合部、連通部）７ｂが設けられる。突部６は、開口部７ｂの周縁の少なくとも一部と当接される。
【００２１】
連結部７は、表示面側に設けられるとともに下側に向かって曲げられた第１曲げ部（前曲げ部、下曲げ部、屈折部）７ｃと、表示面とは反対側に設けられるとともに上側に向かって曲げられた第２曲げ部（後曲げ部、上曲げ部、屈折部）７ｄと、を有する。この前後の曲げた部分を有することで、例えば筐体２１が振動などの外部ストレスなどで擁んだ際に、表示部２の前方向への転倒を抑制できる。また、この構成を有することで、筐体２１の下面２ｅの傾斜形状に適応して該下面２ｅと接する際には前後に均等に圧をかけることができ、ストレスが筐体２１の下面２ｅの後ろ部分に集中して筐体２１の一部が破損・変形することを抑制することができる。
【００２２】
図３乃至図５に示すように、本実施例の表示装置１は、筐体２１に着脱可能に装着された電池ユニット１００（バッテリユニット、電池、バッテリパック、電池パック、電源パック、電池部、バソテリ部、電源部）を有する。
【００２３】
以下、図１乃至図１３を参照しながら、本実施例の電池ユニット１００および電池ユニット１００周辺の構成について説明する。
【００２４】
図６は、本実施形態にかかる電子機器のバッテリを外した状態で表示装置を後面から見た斜視図である。図７は、本実施形態にかかる電子機器のバックカバーを後面から見た斜視図である。図８は、本実施形態にかかる電子機器のバッテリを外した状態でバックカバーを後面から見た斜視図である。図９は、本実施形態にかかる電子機器のバックカバーを側面から見た斜視図である。図１０は、本実施形態にかかる電子機器のバッテリを外した状態でバックカバーを側面から見た斜視図である。図１１は、本実施形態にかかる電子機器のバックカバーを筐体内側から見た図である。図１２は、本実施形態にかかる電子機器に装着されたバッテリを見た図である。図１３は、本実施形態にかかる電子機器に装着されたバッテリを見た図である。
【００２５】
図３乃至図１３に示すように、電池ユニット１００は、表示装置１の後面２ｂに設けられた開口部（収容部、凹部）２ｂ１に少なくとも一部が収容されている。開口部２ｂ１は、支持部５近傍の周辺領域２ｂｈに位置される。即ち、開口部２ｂ１は、後面２ｂの中央領域２ｂｃから支持部５に寄って位置される。
【００２６】
図３乃至図１３に示すように、開口部２ｂ１は、電池ユニット１００と上方から対向する（重なる、当接する、囲む、面する）壁部２ｂ２と、電池ユニット１００と側方から対向する（重なる、当接する、囲む、面する）壁部２ｂ３，２ｂ４と、電池ユニット１００と下方から対向する（重なる、当接する、囲む、面する）壁部２ｂ５と、を有する。ここで「上方」は、電池ユニット１００からみて接続部５とは反対側に位置する方向であり、「下方」は、電池ユニット１００からみて接続部５側に位置する方向である。本実施例では、壁部２ｂ５を有することで、表示筐体１が起立された状態でも電池ユニット１００を支えることが出来る。
【００２７】
図５及び図１３に示すように、電池ユニット１００は、ディスプレイユニット４の表示画面から外れた位置であって、且つ、基板４０と幅方向に並んで設けられている。本実施例の電池ユニット１００は、開口部２ｂ１に嵌り込んで、筐体２１の後面２ｂの一部をなしている（後面２ｂと面一・略面一の壁となっている）。
【００２８】
図５に示すように、開口部２ｂ１が設けられる支持部５近傍の周辺領域２ｂｈは、他の周辺領域２ｂｈ及び中央領域２ｂｃよりも厚みが大きい。即ち、筐体２１は、上側が細く（薄く）、下側が太い（厚い）構造で設計されている。このような構成を有することで、側面から見た形状をより薄く見せることができる。また、電池ユニット１００を強固に安定して支持することが出来る。また、重量物である電池ユニット１００が支持部５近傍に位置されることで表示装置１における筐体２１が安定化する。
【００２９】
図４に示すように、電池ユニット１００は、筐体２１の背面２ｂの長手方向における中心に位置される、即ち、筐体２１の左右で支持される重量が対象・ほぼ対称となるように位置される。例えば、テレビなどの電子機器では、接続部５との接続部分の一点で自身を支えるため前後に倒れないための安定性が求められるだけではなく、左右での揺れ・転倒を抑制するための安定化した構造設計も求められる。本実施例の構成を採用することで、表示装置１は、筐体２１の長手方向（左右方向）に対する揺れに対して耐性を有する。
【００３０】
図５に示すように、本実施例の電池ユニット１００は、接続部５から見てディスプレイユニット４とは反対側に偏心されて位置される。テレビなどの表示装置ではディスプレイの重量が比較的他の部品よりも重いため、接続部５から見てディスプレイユニット４が設けられる方向に表示装置１の重心が移動し易く、外部の振動などを受けた場合に、該方向に向けて転倒しやすい。しかしながら、本実施例の構成では、接続部５の中心を境にディスプレイユニット４と電池ユニット１００が点対称・略点対称となる位置に其々設けられるため、表示装置１の全体的な重量バランス安定的になる。
【００３１】
図５及び図１３に示すように、電池ユニット１００は、ディスプレイユニット４の表示画面から少なくとも一部が外れた位置に設けられる。このような構成を有することで発熱体である電池ユニット１００とディスプレイユニット４との熱的干渉を低減できる。
【００３２】
図２に示すように、電池ユニット１００の両脇にはスピーカユニット１１１が設けられる。本実施例では、上述したとおり、電池ユニット１００が実装される領域における筐体２１の厚さが他の領域と比較して大きいため、スピーカユニット１０１の厚さ／奥行きを大きく確保することができ、良質な音声を提供できる。
【００３３】
図３乃至図８に示す通り、本実施例の表示装置１における電池ユニット１００の収容部２ｂ１には、筐体２１の下の壁２ｅまで繋がる（連通，開かれた，切り抜かれた，切りかかれた，開口されだ）連通部（開口部、切欠き部、連通開口部、挿入部）２ｂ６，２ｂ７が設けられている。本実施例の電池ユニット１００は、この連通部２ｂ６，２ｂ７から湯のなどを挿入して取外される。例えば、電子機器を解体する際は、感電防止のため、電池ユニット１００を先に筐体２１から取外す必要がある。
【００３４】
しかしながら、ポータブルコンピュータなどの機器とは異なり、テレビジョン受像機（テレビ）等の大型化構造が普及される機器では、表示パネルを地面と並行になるように表示装置を寝かせた状態で）解体作業を行うことが困難となる。ここで本実施例の構成を採用することで、表示装置１を起立させたまま（地面に対して表示画面が直行した状態で）電池ユニット１００の取り外し作業を進めることができる。
【００３５】
図３乃至図８に示す通り、本実施例の表示装置１における電池ユニット１００の収容部２ｂ１には、筐体２１の前後のカバー（フロントマスクとバックカバー）をつなぐための固定部材が挿入される挿入開口２ｂ１１が設けられている。挿入開口２ｂ１１は、収容部２ｂ１側に向かって開口される。このような構成により、挿入開口２ｂ１１に指などをかけて、電池ユニット１００の取り外し作業をしても良い。
【００３６】
図８に示すように、本実施例の電池ユニット１００の連通部２ｂ６と対応する位置には、ユーザの指などを引っ掛けるための突起部（突出部、凸部、凹部、滑り止め）１００ａが設けられている。このような構成を有することで、本実施例の表示装置１では、電池ユニット１００のニット１００の取り外し作業性が向上される。突起部１００ａは、後述する固定部２ｂ８側に設けられる。電池ユニット１００は、通常、固定部２ｂ８側から取外すため、該固定部２ｂ８側に突起部１００ａが設けられ構成が取外し作業者にとって好適である。
【００３７】
図１１及び図１２に示すように、本実施例の表示装置１における電池ユニット１００の収容部２ｂ１周辺には、電池ユニット１００を固定するための固定部（係合部、止め部、スライダ、引っ掛け部、保持部、支持部）２ｂ８が設けられ、電池ユニット１００の係合部１００ｃと係合し、収容部２ｂ１に収容された電池ユニット１００を定位置（固定位置・係合位置）に固定することが出来る。固定部２ｂ８は、例えば、筐体２１外側に向かって移動可能に設けられ、バネなどの弾性部材により、電池ユニット１００を外した状態では、移動（スライド）可能範囲内における筐体２１の内側に寄って位置される。例えば作業者は、電池ユニット１００を筐体２１に着脱する際には、固定部２ｂ８を移動可能範囲内における筐体２１の外側に向かって移動させ（固定解除・係合解除位置に移動させ）、固定部２ｂ８の固定を解除する。
【００３８】
図１２に示すように、本実施例の固定部２ｂ８には、ユーザの指などを引っ掛けるための突起部（突出部、凸部、凹部、滑り止め）２ｂ９が設けられている。このような構成を有することで、本実施例の表示装置１では、電池ユニット１００のニット１００の取り外し作業性が向上される。
【００３９】
図１１及び図１３に示すように、本実施例の電池ユニット１００は、収容部２ｂ１に収容された状態で筐体２１の内部に向かって突出したコネクタ部１００ｂを有する。このコネクタ部１００ｂは、筐体２１内に収容されて収容部２ｂ１の内面に固定された基板１００ｄに電気的に結語される。上述したとおり、電池ユニット１００は、通常、固定部２ｂ８側から取外し、固定部２ｂ８とは反対側にする端部から取り付ける。ここで、筐体２１の内部に向かって突出したコネクタ部１００ｂを有する場合、電池ユニット１００の挿入位置が目視でき、組立作業が効率的である。
【００４０】
コネクタ部１００ｂは、筐体２１の下壁２ｅ又は壁部２ｂ５に沿った複数の片部からなる構成を有する。このような構成を有することで、コネクタ部１００ｂ近傍を支点に電池ユニット１００を下壁２ｅ又は壁部２ｂ５に沿って回転させることが可能となる。例えば、電池ユニット１００を収容部２ｂ１に収容する場合、固定部２ｂ８とは反対側にする端部から電池ユニット１００を収容部２ｂ１に収容し、コネクタ部１００ｂ近傍を支点に回転させて、固定部２ｂ８側に位置する他方の端部を収容させるため、上記構成が好適となる。
【００４１】
図１３等に示すように、電池ユニット１００は、絶縁部材例えば合成樹脂からなるケース１０１、複数の電池セル（蓄電部）１０２ａ〜１０２ｆ等を備えている。電池セル１０２ａ〜１０２ｆとしては、外形状が偏平な箱状のいわゆる角セルを用いることができる。なお、電池セル１０２ａ〜１０２ｆとしては、外形状が円筒状のいわゆる丸セルを用いてもよい。電池セル１０２ａ〜１０２ｆは、夫々、２次電池である。
【００４２】
収容部２ｂ８に収容される電池セル１０２ａ〜１０２ｆは、プラス同士及びマイナス同士が各々配線（例えば薄板）を介して電池ユニット１００内の基板（図示していない）と電気的に接続されている。
【００４３】
次に、図１４乃至図２０を参照しながら、本実施例の接続部近傍の構成について説明する。図１４は、本実施形態にかかる電子機器としての表示装置を側面から見た断面図である。図１５は、本実施形態にかかる電子機器の表示部を分離した状態を示した図である。図１６は、本実施形態にかかる電子機器の接続部を前方から見た状態の外観を示した図である。図１７は、本実施形態にかかる電子機器の接続部を側方から見た状態の外観を示した図である。図１８は、本実施形態にかかる電子機器の接続部を上方から見た状態の外観を示した図である。図１９は、本実施形態にかかる電子機器の接続部を下方から見た状態の外観を示した図である。図２０は、本実施形態にかかる電子機器の接続部の構成を示した図である。
【００４４】
図１４乃至図２０に示すように、接続部５は、該接続部５の上端に位置された段差部５ａと、この段差部５ａの表示部２側の面である平面部５ｂとを有する。突部６は、平面部５ｂから突出されて設けられる。突部６は、側面から見ると接続部５（平面部５ｂ）の中央部分に位置される。
【００４５】
図１４乃至図２０に示すように、突部６は、第１の突部（第１部分、フック部、位置決め部、凸部、突起部、突出部、金具部）６ａと、第２の突部（第２部分、フック部、位置決め部、凸部、突起部、突出部、金具部）６ｂと、を有する。第１及び第２の突部６ａ，６ｂは、其々同一の形状を有する。ここでは、説明を簡略化するため、第１の突部６ａを例に挙げて突部６の構成を説明する。
【００４６】
図１５及び図１６に示すように、突部６は、表示部２の表示画面側の面であって、表示部２の表示画面とは反対側、即ち筐体２１の背面２ｂ側に向かって傾斜した第１傾斜部６ｃ１と、表示部２の表示画面側に開口された第１凹部６ｄ１と、表示部２側に向かって延びた第１延出部（頭部、突出部）６ｅ１とを有する。また突部６は、表示部２の表示画面とは反対側の面であって、表示部２の表示画面とは反対側、即ち筐体２１の背面２ｂ側に向かって傾斜した第２傾斜部６ｃ２と、表示部２の表示画面とは反対側に開口された第２凹部６ｄ２と、表示部２側に向かって延びた第２延出部（頭部、突出部）６ｅ２とを有する。第１及び第２の凹部６ｄ１，６ｄ２は、第１及び第２の傾斜部６ｃ１，６ｃ２と、第１及び第２の延出部６ｅ１，６ｅ２との間に其々位置される。
【００４７】
ここで、図１４に示すように、第１及び第２の凹部６ｄ１，６ｄ２は、連結部７に設けられた開口部７ｂの周縁の少なくとも一部と係合される。表示部２は、ディスプレイパネルが位置された前方側に重心が偏っている。即ち表示装置１は、後方よりも前方に転倒し易い構成となっている。ここで、本実施例の構成によると、開口部７ｂの周縁の前方では、第１の凹部６ｄ１を構成する、第１の延出部６ｅ１と当接して支持され、開口部７ｂの周縁の後方では、第２の凹部６ｄ２を構成する、第２の傾斜部６ｃ２と当接して支持される。このような構成により、前方側に重心が偏っている表示装置１を効率よく支えることができる。
【００４８】
また、本実施例の構成では、前後にそれぞれ第１及び第２の傾斜部６ｃ１，６ｃ２を設けたことで、突部６と開口部７ｂの周縁とに与える負荷をより分散させることができる。例えば、第１及び第２の傾斜部６ｃ１，６ｃ２を設けず、表示部２側にむかって延びた部分と、この部分と直交する部分でフック形状を構成した場合、突部６と開口部７ｂの周縁との接触領域が少なくなり、特にフックの先端（表示部２側にむかって延びた部分と直交する部分の先端）にストレスが一点集中してしまう。この結果、突部６又は開口部７ｂの周縁部分が変形・破損してしまう可能性が出てくる。従って第１及び第２の傾斜部６ｃ１，６ｃ２を設けた本実施例の構成は、突部６又は開口部７ｂの周縁部分が変形・破損してしまう可能性を低減させることができる。
【００４９】
また、本実施例の構成では、前後にそれぞれ第１及び第２の延出部６ｅ１，６ｅ２を設けたことで、表示装置１が後方に転倒しそうになった場合でも、表示部２と接続部５との分離を防止できる。例えば、地震の影響などで表示装置１に対して前後方向の強い揺れを受けた場合、表示装置１が後方に向けて傾く場合が想定されるが、本実施例の構成では、第１及び第２の延出部６ｅ１，６ｅが其々開口部７ｂの周縁と前後で支えるため、突部６が開口部７ｂから抜け出て、表示部２と接続部５とが互いに分離されてしまうことを防止できる。
【００５０】
図２０に示すように、本実施例の台座部３と接続部５とは互いに一体に連結された樹脂製の材料から成る。台座部３の下面３ｂには、接続部５の内部と連通した開口部が設けられ、当該開口部内に金属製の支持部５１の一部が挿入される。支持部５１は、先端に突部６を有し、接続部５の内に収容される第１の支持部５１ａと、この第１の支持部５１ａと連続して台座部３の下面３ｂに当接する第２の支持部５１ｂとを有する。２っの突部６ａ，６ｂは、其々接続部５の平坦部５ｂに設けられた２つの貫通孔（開口部、孔部、穴部）５ｃ１，５ｃ２に其々挿入されて接続部５の内から外に露出される。平坦部５ｂには、ネジ等の固定部材を通すための固定孔部（孔部、開口部、孔部）５ｄが設けられる。この固定孔部５ｄは、支持部５１に設けられた固定孔部（孔部、開口部、孔部）５１ｄと連通された位置関係にある。
【００５１】
図２０に示すように、貫通孔５ｃ１，５ｃ２は、２つの突部６ａ，６ｂの前後方向に延びた幅よりも余裕を持って（１．５倍ほどの長さを有して）設けられている。即ち、貫通孔５ｃ１，５ｃ２は、２つの突部６ａ，６ｂが挿入された状態で、前後方向に２つの突部６ａ，６ｂがある程度移動可能な遊びを有する。このような構成を有することで２つの突部６ａ，６ｂが前後方向に撹んだ際にこれらと当接することを回避し、ストレスの伝搬される経路を絶つことができる。
【００５２】
図２０に示すように、接続部５の前方は、上から見た場合に中央に向けて尖った突出形状を有している。このような形状を有することで、接続部５の意匠性を向上させることができるとともに、表示装置１の前方への転倒抑制に貢献する。
【００５３】
図２０に示すように、本実施例の第１の支持部５１ａは、複数の板金で構成される。板金同士は互いに一部重なり合う領域（重なり部、重畳部）５１ａ１を有する。これらの領域５１ａ１は、特に前後方向で重なり合うようにもうけられるため、一つの板金を加工する構成と比較して、剛性（特に前後方向にかかる負荷に対する剛性）が向上される。
【００５４】
図２０に示すように、本実施例の第２の支持部５１ｂは、左右に延びる方向に交差した方向に曲げられた、即ち前後方向に沿って延びた曲げ部５１ｂ１を有する。本実施例の構成では、曲げ部５１ｂ１を有することで、第２の支持部５１ｂの剛性、引いては台座部３の剛性を向上させることができる。また、第２の支持部５１ｂは、筐体２１の前後方向に沿って延びる形状を有することで、台座部３の前後方向の擁みを抑制する。例えば、地震の影響などで表示装置１に対して前後方向の強い揺れを受けた場合、台座部３と接続部５とを接続する連結部３ｃ近傍で変形・破損することが抑制できる。
【００５５】
図２０に示すように、本実施例の２つの突部６ａ，６ｂは、第１の支持部５１ａの側面部５１ｃの一部を切り起こして設けられている。第１の支持部５１ａの側面部５１ｃの上端には、２つの突部６ａ，６ｂが切起こされた周囲に切欠き部（開口部、孔部、穴部、スリット部）５１ｃ１が設けられ、第１の支持部５１ａの側面部５１ｃの下端には、第２の支持部５１ｂに固定された部分（固定部、支持部、支部、基部、ベース部）５１ｃ２が設けられる。この部分５１ｃ２は、平坦部５ｃの幅よりも長く設けられ、側面部５１ｃを速報から見た場合に裾野が広がるような山形状を有している。本実施例の第１の支持部５１ａでは、このように構成されることにより、表示装置１の前後方向への僥み抑制に貢献している。特に表示部２からの負荷が掛かりやすい２つの突部６ａ，６ｂ近傍の領域では、切欠き部５１ｃ１が設けられることで、表示部２の僥みを吸収できるとともに、下のベース部５１ｃ２で強固に支えることが出来る。
【００５６】
図２０に示すように、本実施例のベース部５１ｃ２は、曲げ部５１ｂ１によって机の天板等の載置面から離間された領域に設けられる。このような構成により、例えばべ一ス部５１ｃ２を通して伝わる表示部２の重量の影響によって、第２の支持部５１ｂが変形される場合であっても、当該変形部分が机の天板等の載置面に当たる可能性が低くなる。
【００５７】
図１９に示すように、本実施例の構成では、台座部３の下面３ｂに格子状のリブ３ｂ１が設けられる。リブ３ｂ１は、筐体２１の上下方向に延びた立壁であり、左右方向に沿って延びたリブ３ｂ２と、前後方向に沿って延びたリブ３ｂ３とを有する。更に左右・前後に延びた部分が其々互いに重なる部分は円筒リブ３ｂ４が設けられる。このような形状を有することで、本実施例の台座部３は、樹脂材料の肉厚を薄くして軽量化した状態であっても澆みに対する剛性が著しく低下することを抑制できる。このリブ形状は、格子状に限らず例えばハニカム形状等、僥み抑制に効果がある形状であれば本実施例の構成に限らない。
【００５８】
図１９に示すように、本実施例の構成では、左右方向に沿って延びたリブ３ｂ２の一部３ｂ２２が台座部３を裏から指示する金属製部材である第２の支持部５１ｂの切欠き部分に収容されている。このリブ３ｂ２の一部３ｂ２２は、接続部５よりも前方に設けられ、表示装置１の前方への転倒抑制に貢献している。
【００５９】
次に、図２１乃至図２３を参照しながら、第２の実施例の構成について説明する。
【００６０】
図２１は、第２の実施形態にかかる電子機器としての表示装置を（表示部と接続部とを分離した状態で）後面から見た図である。図２２は、第２の実施形態にかかる電子機器としての表示装置を（表示部と接続部とを接続した状態で）後面から見た図である。図２３は、第２の実施形態にかかる電子機器としての表示装置を（バッテリを装着した状態で）後面から見た図である。尚、同一の機能を有した構成については、図２０までの実施例と同一の符号を用いて説明する。
【００６１】
図２１に示すように、第２の実施例の構成では、接続部５に設けられた突出部６が、表示画面に沿って延びた板金形状に設けられている。このような構成により、強固に表示部２を支持することでる。この突出部６は筐体２１の背面からネジ止めされて表示部２に固定される。
【００６２】
図２１乃至図２３に示すように第２の実施例の構成では、電池ユニット１００を収容する収容部２ｂ１の底壁（壁、底）２ｂ１０内に接続部５の板金６を固定するためのネジを通す穴２ｂ１２が設けられている。このような構成により、本実施例の構成では、電池ユニット１００を収容した際に接続部５の板金６を止めるネジが外部に露出されることが無く、例えば、ネジが運送時に外部部材に引っかかり外れてしまう可能性を低減でき、また、表示装置１を外部から見た際の美観を向上させることができる。
【００６３】
上述した通り、本実施例の構成によれば、安定化を実現した電子機器を提供でき、また、組み立て作業性も向上させることができる。
【００６４】
また、電子機器は上記実施形態そのままに限定されるものではなく、実施段階ではその要旨を逸脱しない範囲で構成要素を変形して具体化できる。さらに、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【符号の説明】
【００６５】
１…表示装置（電子機器）
２…表示部
２ｂ１…収容部
３…台座部（基部）
３ｂ…下面部
３ｂ１…リブ
４ｂ…表示画面
５…接続部
６…突出部（突部）
７…連結部
７ａ，７ｂ…挿入開口
１００…電池ユニット
【図１】
0005583176.tif 000002
【図２】
0005583176.tif 000003
【図３】
0005583176.tif 000004
【図４】
0005583176.tif 000005
【図５】
0005583176.tif 000006
【図６】
0005583176.tif 000007
【図７】
0005583176.tif 000008
【図８】
0005583176.tif 000009
【図９】
0005583176.tif 000010
【図１０】
0005583176.tif 000011
【図１１】
0005583176.tif 000012
【図１２】
0005583176.tif 000013
【図１３】
0005583176.tif 000014
【図１４】
0005583176.tif 000015
【図１５】
0005583176.tif 000016
【図１６】
0005583176.tif 000017
【図１７】
0005583176.tif 000018
【図１８】
0005583176.tif 000019
【図１９】
0005583176.tif 000020
【図２０】
0005583176.tif 000021
【図２１】
0005583176.tif 000022
【図２２】
0005583176.tif 000023
【図２３】
0005583176.tif 000024